(57)【要約】【課題】トイレ使用中に便器本体の上面に載置された便座の左右方向へのズレを防止するようにした洋式トイレを提供する。【解決手段】便器本体１と、該便器本体１の上面１ａに載置される平面視ループ状の便座１１と、便蓋３１とを備えた洋式トイレにおいて、前記平面視ループ状の便座１１下面に、当該便座１１を、前記便器本体１の上面で左右方向へズレるのを防止するストッパ１４を設けてなる。このストッパ１４は、前記便器本体１の内縁部あるいは外縁部に係止する突縁部１４ａ、１４ｂにて形成されている。【選択図】図２
2016077449.tif 000002
【特許請求の範囲】
【請求項１】
便器本体と、該便器本体の上面に載置される平面視ループ状の便座と、便蓋とを備えた洋式トイレにおいて、
前記平面視ループ状の便座下面に、当該便座を、前記便器本体の上面で左右方向へズレるのを防止するストッパを設けたことを特徴とする洋式トイレ。
【請求項２】
前記ストッパを、前記便器本体上面の内縁部あるいは外縁部に係止するよう、前記便座下面両側に設けられた脚部の内側あるいは外側に垂設した突縁部にて形成したことを特徴とする請求項１記載の洋式トイレ。
【請求項３】
前記突縁部が設けられた脚部を、前記便座下面両側に一体成型したことを特徴とする請求項２記載の洋式トイレ。
【請求項４】
前記突縁部が設けられた脚部を、前記便座下面両側に着脱自在に取り付けたことを特徴とする請求項２記載の洋式トイレ。
【発明の詳細な説明】
【技術分野】
【０００１】
本発明は、便器本体の上面に載置される平面視ループ状の便座が左右方向へズレるのを防止する洋式トイレに関する。
【背景技術】
【０００２】
従来、洋式トイレは、概ねトイレの床面状に設置固定される便器本体と、前記便器本体の上面に載置される平面視ループ状の便座と、不使用の際に前記便器本体および便座を塞いでおくための便蓋とから構成されている。
【０００３】
而して、前記便座は、その後方において、前記便器本体の上面に載置されるように、前記便器本体の後端部に設置されたヒンジ機構によって回動自在に軸支されている。さらに、前記便蓋も同様に、前記便座および前記便器本体の開口部を覆うようにヒンジ機構によって回動自在に軸支されている。
【０００４】
このように、従来の洋式トイレでは、便座および便蓋ともに、後端部に設けられたヒンジ機構の一箇所だけで便器本体に連係されているにすぎないものであった。
【先行技術文献】
【特許文献】
【０００５】
【特許文献１】特になし
【発明の概要】
【発明が解決しようとする課題】
【０００６】
したがって、前記便器本体や便座に対して単なるカバー機能を有するにすぎない便蓋は長期使用に耐えられるが、それに反して便座はトイレ使用者が直接着座するため長期使用するに応じて種々な不具合を生じ易い。
【０００７】
すなわち、トイレ使用者は便座に後向きの姿勢で着座するため、常に最適な位置に着座するとは限らず、いったん着座したあとその着座位置を左右方向等にずらすことで位置換えをすることが多々ある。
【０００８】
例えば、シャワートイレの場合、洗浄点のズレを矯正する必要があったり、また長時間の着座により太腿部などの痺れ、痛みを感じたとき、それを軽減させる必要があったりするからである。さらに、車椅子利用者が使用する場合、離着座に際して体を便座上の左または右に移動させないと便座中央に着座することができなかった。
【０００９】
斯くしてトイレ使用者によって左右方向等へ無理な移動圧力が便座に対して長期間掛かること、加えて当該便座を支えるヒンジ機構の構成部材、例えば便座の取付ボルトやピンなどの経年変化などが原因で、これらに緩みやガタが発生するという問題があった。
【００１０】
さらに、こうして便器本体に対して便座が左右方向等へ位置ズレを起こすようになると、便座の中央に着座しても洗浄点のズレを避けられないという問題もあった。
【００１１】
本発明は、このような問題点を解消するためになされたもので、トイレ使用中に便器本体の上面に載置された便座の左右方向へのズレを防止するようにした洋式トイレを提供することを目的とする。
【課題を解決するための手段】
【００１２】
前記した課題を解決するために、本発明にあっては、便器本体と、該便器本体の上面に載置される平面視ループ状の便座と、便蓋とを備えた洋式トイレにおいて、
前記平面視ループ状の便座下面に、当該便座を、前記便器本体の上面で左右方向へズレるのを防止するストッパを設けたことを特徴とする。
【００１３】
前記ストッパを、前記便器本体上面の内縁部あるいは外縁部に係止するよう、前記便座下面両側に設けられた脚部の内側あるいは外側に垂設した突縁部にて形成したことを特徴とする。
【００１４】
前記突縁部が設けられた脚部を、前記便座下面両側に一体成型したことを特徴とする。
【００１５】
前記突縁部が設けられた脚部を、前記便座下面両側に着脱自在に取り付けたことを特徴とする。
【発明の効果】
【００１６】
本発明によれば、トイレの使用に当って、便器本体の上面に載置される便座に対して左右方向へ着座圧力が掛かっても当該便座が左右方向へズレるのを有効に防止し得るものである。したがって、長期使用しても便座を支えるヒンジ機構等に損傷を与えることが少ない。
【００１７】
すなわち、本発明において、請求項１によれば、便器本体と、該便器本体の上面に載置される平面視ループ状の便座と、便蓋とを備えた洋式トイレにおいて、
前記平面視ループ状の便座下面に、当該便座を、前記便器本体の上面で左右方向へズレるのを防止するストッパを設けたものであるから、着座時に便座に左右方向への圧力が掛かっても当該ストッパによって便座は便器本体上面の所定位置に常に安定した状態で載置できるという効果を有する。
【００１８】
また、本発明において、請求項２によれば、前記ストッパを、前記便器本体上面の内縁部あるいは外縁部に係止するよう、前記便座下面両側に設けられた脚部の内側あるいは外側に垂設した突縁部にて形成したものであるから、通常便座下面に設けられている脚部を利用して、その左右両側どちらかに形成した下向きの突縁部を便器本体の内縁部あるいは下縁部に係止することによって、便座に対して着座中に左右方向への圧力が掛かっても当該便座は便器上面の所定位置に安定した状態で載置でき左右にズレることを有効に防止できるという効果を有する。
【００１９】
また、本発明において、請求項３によれば、前記突縁部が設けられた脚部を、前記便座下面両側に一体成型したものであるから、ストッパや脚部の堅牢性に優れるとともに、安価に製造できるなどコスト面でも優れるという効果を有する。
【００２０】
さらに、本発明において、請求項４によれば、前記突縁部が設けられた脚部を、前記便座下面両側に着脱自在に取り付けるものであるから、既設の洋式トイレに対しても簡単に付設することが可能であるとともに、突縁部などが損傷した場合でも容易に交換できるという効果を有する。
【図面の簡単な説明】
【００２１】
【図１】本発明を実施するための最良の形態における洋式トイレの便座を持ち上げ便器本体の後端部で立て掛けた状態を示す前方から視た斜視図である。
【図２】同じく洋式トイレの便座を倒し便器本体上面に当該便座を載置した状態を示す一部断面の正面図である。
【図３】本発明のストッパ部分の便座に対する各種付設状態を示す要部断面図であり、図中（ａ）は便座に対してストッパと脚部が一体成型された断面図であり、（ｂ）は便座に対してストッパ付き脚部が接着剤により固定された断面図であり、（ｃ）は便座に対してストッパ付き脚部がピンによって固定された断面図であり、（ｄ）は便座に対してストッパ付き脚部がネジによって固定された断面図である。
【図４】洋式トイレの便座を持ち上げ便器本体の後端部に立て掛けた状態を示す前方から視た他例の斜視図である。
【図５】同じく洋式トイレの便座を倒し便器本体上面に当該便座を載置した状態を示す他例の一部断面の正面図である。
【発明を実施するための形態】
【００２２】
以下、図面を参照して本発明を実施するための最良の一形態を詳細に説明する。
【００２３】
本発明における洋式トイレは、図１および図４に示すように、トイレの床面上に設置される便器本体１と、該便器本体１の上面１ａに載置される平面視ループ状の便座１１と、不使用の際に前記便器本体１および便座１１の開口２、１２を覆うための便蓋３１とから構成されている。
【００２４】
前記便器本体１は、開口２内底部の中央後方寄りに排出口３が形成されるとともに、上面１ａ後方中央にヒンジ機構４が配置されている。
【００２５】
而して、前記ヒンジ機構４は、前記便器本体１後部に設けられた軸承部４Ａと、前記便座１１後部に設けられた２個のヒンジ部４Ｂ、４Ｂと、前記便蓋３１後部に設けられた２個のヒンジ部４Ｃ、４Ｃとにより構成されている。
【００２６】
このうち便器本体１に設けられた軸承部４Ａは、横長筐体状のケース体５と、該ケース体５の左右両端に貫通する軸孔６と、該軸孔６に挿通され且つ両端が前記軸孔６の左右両側に突出するピン７にて構成されている。
【００２７】
前記便座１１は、その後端両側に所定の間隔（前記ケース体５の両幅より若干長い間隔）を置いて、前記ヒンジ機構４の軸承部４Ａに対応するヒンジ部４Ｂ、４Ｂが一体に突出して対向形成されている。そして、前記ケース体５の軸孔６に挿通されたピン７の左右両側の突出軸部分に前記ヒンジ部４Ｂ、４Ｂが回動自在に軸支されている。
【００２８】
このように構成することで、前記便座１１は、トイレの使用あるいは不使用に応じて、前記便器本体１の後端部側に立て掛けられる位置と、前記便器本体１の開口２前方側の上面１ａに載置される位置との間で、手回動によって略９０度上下の位置（角度）換えができるものとなっている。
【００２９】
また、前記便座１１の裏面には、当該便座１１を、便器本体１の開口２前方側の上面１ａに載置させたとき当接係止する複数の脚部１３が配設されている。
【００３０】
前記脚部１３は、それぞれ略横長直方体形状に形成されており、前記便座１１の裏面の左右両側に対向するよう２個ずつ、つまり前後方向に定間隔で２個ずつ計４個配設されている。
【００３１】
この内、前方位置（図１、図４では上方部位）で対向する左右の脚部１３には、便座１１を、便器本体１の開口２前方側の上面１ａに載置したとき当該便座１１の左右方向へのズレを防止するストッパ１４が各設けられている。
【００３２】
前記ストッパ１４は、第一例を示す図１乃至図３では、便座１１裏面の脚部１３の内側に、第二例を示す図４では便座１１裏面の脚部１３の外側に設けられている。
【００３３】
すなわち、前記第一例では、前記便座１１を前記便器本体１の開口２前方側の上面１ａに載置させたとき、前記各脚部１３の内側に、前記便器本体１の上面１ａの内縁側に係止するよう、ストッパ１４として突縁部１４ａが一体に垂設されている。このとき、前記突縁部１４ａの内端は略垂直面に、外端は便座１１を便器本体１の上面１ａに押下げ載置するのを円滑且つ確実とするよう略円弧状にそれぞれ形成されている。
【００３４】
一方、前記第二例では、図４および図５に示すように、前記便座１１を前記便器本体１の開口２前方側の上面１ａに載置させたとき、前記脚部１３の外側に、前記便器本体１の上面１ａの外縁側に係止するよう、ストッパ１４としての突縁部１４ｂが一体に垂設されている。このとき、前記突縁部１４ｂの外端は略垂直面に、内縁は前記第一例と同様の理由により略円弧状に形成されている。
【００３５】
ところで、前記ストッパ１４としての突縁部１４ａ、１４ｂは、いずれも前記便座１１の裏面に配設される脚部１３と一体成形されている。
【００３６】
また、前記脚部１３も、図３（ａ）に示すように、前記便座１１の裏面に一体成形することができるし、図３（ｂ）以下に示すように便座１１裏面に着脱自在に取り付けるようにすることもできる。例えば図３（ｂ）では、接着剤１５を介して前記便座１１に固定する。
【００３７】
また、図３（ｃ）では、脚部１３の上面に設けたピン１６（図示例では２本）を便座１１の裏面に穿設した孔１７に圧入することによって固定する。さらに、図３（ｄ）では、脚部１３と便座１１の対向位置にそれぞれネジ孔１８、１９を設け、これらネジ孔１８、１９にそれぞれネジ２１（図示例では２本）を螺合することによって固定する。
【００３８】
尚、前記ストッパ１４を形成する脚部１３として、前記実施形態では便座１１の前部側を利用しているが、後部側の脚部１３側に設けてもよい。また、前記ストッパ１４は、脚部１３ではなく、便座１１の裏面の左右両側に直接設けてもよいことは勿論である。
【００３９】
さらに、前記脚部１３の数は図示例では前記便座１１の下面に計４個設けてあるが、例えば便座１１の下面の左右に３個ずつ計６個設ける等その数は問わない。
【００４０】
一方、前記便蓋３１は、既述したように、その後端両側において、前記便座１１のヒンジ部４Ｂ、４Ｂの外側に２個のヒンジ部４Ｃ、４Ｃがそれぞれ対向して設けられている。すなわち、前記便蓋３１のヒンジ部４Ｃ、４Ｃも、前記便座１１同様、当該便座１１のヒンジ部４Ｂ、４Ｂの外側に突出するピン７の左右両側の突出軸部分に回動自在に軸支されている。
【００４１】
このように構成することで、トイレの使用あるいは不使用に応じて、前記便座１１同様前記便器本体１の後端側に立て掛けられる位置と、前記便器本体１の開口２や便座１１の開口１２上面をカバーする位置との間で、手回動によって略９０度上下の位置（角度）換えができるものとなっている。
【符号の説明】
【００４２】
１              便器本体
１ａ            上面
２              開口
３              排出口
４              ヒンジ機構
４Ａ            軸承部
４Ｂ、４Ｃ      ヒンジ部
５              ケース体
６              軸孔
７              ピン
１１            便座
１２            開口
１３            脚部
１４            ストッパ
１４ａ、１４ｂ  突縁部
１５            接着剤
１６            ピン
１７            孔
１８、１９      ネジ孔
２１            ネジ
３１            便蓋
【図１】
2016077449.tif 000003
【図２】
2016077449.tif 000004
【図３】
2016077449.tif 000005
【図４】
2016077449.tif 000006
【図５】
2016077449.tif 000007